【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
燃料電池用のエラストマーブレンドであって、
前記エラストマーブレンドが、
ヒドロシリル化により架橋することができる少なくとも２つの官能基を有するゴム（Ａ）、
前記ゴム（Ａ）と化学的に異なり、かつヒドロシリル化により架橋することができる少なくとも２つの官能基を有するゴム（Ｂ）、
１分子当たり平均で少なくとも２つのＳｉＨ基を有するヒドロシロキサン、ヒドロシロキサン誘導体又はこれらの混合物を含む架橋剤（Ｃ）、
ヒドロシリル化触媒系（Ｄ）および
少なくとも１つの充填剤（Ｅ）を含み、
前記ゴム（Ａ）が、
エチレンプロピレンジエンゴム（ＥＰＤＭ）、イソブチレンイソプレンジビニルベンゼンゴム（ＩＩＲターポリマー）、イソブチレンイソプレンゴム（ＩＩＲ）、ブタジエンゴム（ＢＲ）、スチレンブタジエンゴム（ＳＢＲ）、スチレンイソプレンゴム（ＳＩＲ）、イソプレンブタジエンゴム（ＩＢＲ）、イソプレンゴム（ＩＲ）、アクリロニトリルブタジエンゴム（ＮＢＲ）、クロロプレンゴム（ＣＲ）若しくはアクリレートゴム（ＡＣＭ）、部分的に水和されたゴムであって、ブタジエンゴム（ＢＲ）、スチレンブタジエンゴム（ＳＢＲ）、イソプレンブタジエンゴム（ＩＢＲ）、イソプレンゴム（ＩＲ）、若しくはアクリロニトリルブタジエンゴム（ＮＢＲ）を含むゴム、無水マレイン酸若しくはマレイン酸誘導体により官能基化されたゴム、又はビニル基で官能基化されたペルフルオロポリエーテルゴムから選択され、
前記ゴム（Ｂ）が、
エチレンプロピレンジエンゴム（ＥＰＤＭ）、イソブチレンイソプレンジビニルベンゼンゴム（ＩＩＲターポリマー）、イソブチレンイソプレンゴム（ＩＩＲ）、ブタジエンゴム（ＢＲ）、スチレンブタジエンゴム（ＳＢＲ）、スチレンイソプレンゴム（ＳＩＲ）、イソプレンブタジエンゴム（ＩＢＲ）、イソプレンゴム（ＩＲ）、アクリロニトリルブタジエンゴム（ＮＢＲ）、クロロプレンゴム（ＣＲ）若しくはアクリレートゴム（ＡＣＭ）、部分的に水和されたゴムであって、ブタジエンゴム（ＢＲ）、スチレンブタジエンゴム（ＳＢＲ）、イソプレンブタジエンゴム（ＩＢＲ）、イソプレンゴム（ＩＲ）、アクリロニトリルブタジエンゴム（ＮＢＲ）若しくは２つのビニル基を有するポリイソブチレンゴム（ＰＩＢ）を含むゴム、無水マレイン酸若しくはマレイン酸誘導体により官能化されたゴム、又はビニル基で官能化されたペルフルオロポリエーテルゴムから選択されることを特
徴とする、エラストマーブレンド。
【請求項２】
前記エラストマーブレンドが、
ヒドロシリル化により架橋することができる架橋助剤（Ｆ）及び／又は
少なくとも１つの添加剤（Ｇ）を含む、
請求項１に記載のエラストマーブレンド。
【請求項３】
前記エラストマーブレンドが、
２０〜９５ｐｈｒの前記ゴム（Ａ）、
８０〜５ｐｈｒの前記ゴム（Ｂ）、
前記ヒドロシリル化により架橋することができる官能基に対する前記ＳｉＨ基の比が０．２〜２０である量の前記架橋剤（Ｃ）、
０．０５〜１０００００ｐｐｍの前記ヒドロシリル化触媒系（Ｄ）および
５〜８００ｐｈｒの前記充填剤（Ｅ）を含む、
請求項１又は２に記載のエラストマーブレンド。
【請求項４】
前記エラストマーブレンドが、
５０〜９５ｐｈｒの前記ゴム（Ａ）、
５０〜５ｐｈｒの前記ゴム（Ｂ）、
前記ヒドロシリル化により架橋することができる官能基に対する前記ＳｉＨ基の比が０．２〜２０である量の前記架橋剤（Ｃ）、
０．０５〜１０００００ｐｐｍの前記ヒドロシリル化触媒系（Ｄ）および
５〜８００ｐｈｒの前記充填剤（Ｅ）を含む、
請求項１〜３のいずれか１項に記載のエラストマーブレンド。
【請求項５】
前記エラストマーブレンドが、
０．１〜３０ｐｈｒの前記架橋助剤（Ｆ）、及び／又は
０．１〜２０ｐｈｒの前記添加剤（Ｇ）
を含む、請求項２〜４のいずれか１項に記載のエラストマーブレンド。
【請求項６】
前記エラストマーブレンドが、
５０〜７０ｐｈｒの前記ゴム（Ａ）及び５０〜３０ｐｈｒの前記ゴム（Ｂ）を含む、請求項１〜５のいずれか１項に記載のエラストマーブレンド。
【請求項７】
前記ゴム（Ａ）がジエン中にビニル基を有するエチレンプロピレンジエンゴム（ＥＰＤＭ）から選択され、前記ゴム（Ｂ）が２つのビニル基を有するポリイソブチレン（ＰＩＢ）から選択される、請求項１〜６のいずれか１項に記載のエラストマーブレンド。
【請求項８】
前記架橋剤（Ｃ）が、式（Ｉ）のＳｉＨ含有化合物である、請求項１〜７いずれか１項に記載のエラストマーブレンド。
式（Ｉ）：
【化１】
2009509304.tif 000001
（式中、Ｒ１は１〜１０個の炭素原子を有し、置換基を有する又は有さない、一価の飽和
炭化水素基又は芳香族炭化水素基を表し、
ａは０〜２０の整数値を表し、
ｂは０〜２０の整数値を表し、
Ｒ２は１〜３０個の炭素原子を有する２価の有機基又は酸素原子を表す）
【請求項９】
前記架橋剤（Ｃ）が、式（ＩＩ）のＳｉＨ含有化合物である、請求項８に記載のエラストマーブレンド。
式（ＩＩ）：
【化２】
2009509304.tif 000002
【請求項１０】
前記架橋剤（Ｃ）が、式（ＩＩＩ）のＳｉＨ含有化合物である、請求項８に記載のエラストマーブレンド。
式（ＩＩＩ）：
【化３】
2009509304.tif 000003
【請求項１１】
前記架橋剤（Ｃ）が、ポリ（ジメチルシロキサン−コ−メチルヒドロシロキサン）、トリス（ジメチルシロキシ）フェニルシラン、ビス（ジメチルシリルオキシ）ジフェニルシラン、ポリフェニル（ジメチルヒドロシロキシ）シロキサン、メチルヒドロシロキサンフェニルメチルシロキサンコポリマー、メチルヒドロシロキサンアルキルメチルシロキサンコポリマー、ポリアルキルヒドロキシシロキサン、メチルヒドロシロキサンジフェニルシロキサンアルキルメチルシロキサンコポリマーを含むもの及び／又はポリフェニルメチルシロキサンメチルヒドロシロキサンを含むもの
から選択される、請求項８に記載のエラストマーブレンド。
【請求項１２】
前記ヒドロシリル化触媒系（Ｄ）が、
マレイン酸ジアルキル、マレイン酸ジメチル、１，３，５，７−テトラメチル−１，３，５，７−テトラビニルシクロシロキサン、２-−メチル−３−ブチン−２−オール及び／
又は１−エチニルシクロヘキサノールから選択される１以上の反応速度調節剤及び、
ヘキサクロロ白金酸、白金（０）−１，３−ジビニル−１，１，３，３−テトラメチルジシロキサン錯体、ジクロロ（１，５−シクロオクタジエン）白金（ＩＩ）、ジクロロ（ジシクロペンタジエニル）白金（ＩＩ）、テトラキス（トリフェニルホスフィン）白金（０）、クロロ（１，５−シクロオクタジエン）ロジウム（Ｉ）ダイマー、クロロトリス（トリフェニルホスフィン）ロジウム（Ｉ）及び／又はジクロロ（１，５−シクロオクタジエ
ン）パラジウム（ＩＩ）から選択される１以上の触媒、
を含む、請求項１〜１１のいずれか１項に記載のエラストマーブレンド。
【請求項１３】
前記充填剤（Ｅ）が、煤煙、黒鉛、ケイ酸、シリケート、金属酸化物、金属水酸化物、カーボネート、ガラスビーズ、繊維及び／又は有機充填剤から選択される請求項１〜１２のいずれか１項に記載のエラストマーブレンド。
【請求項１４】
前記架橋助剤（Ｆ）が、２，４，６−トリス（アリルオキシ）−１，３，５−トリアジン（ＴＡＣ）、トリアリルイソシアヌレート（ＴＡＩＣ）、１，２−ポリブタジエン、１，２−ポリブタジエン誘導体、アリルエーテル、アリルアルコールエステル、ジアクリレート、トリアクリレート、ジメタクリレート、トリメタクリレート、トリアリルリン酸エステル、及び／又はヒドロシリル化によって前記ゴム（Ａ）及び／又は前記ゴム（Ｂ）と結合する少なくとも２つの官能基を有するブタジエンスチレンコポリマーから選択される、請求項２〜１３のいずれか１項に記載のエラストマーブレンド。
【請求項１５】
前記添加剤（Ｇ）がエイジング防止剤、酸化防止剤、オゾン分解防止剤、難燃剤、加水分解防止剤、定着剤、離型剤、染料、顔料、柔軟剤及び／又は加工助剤から選択される、請求項２〜１４のいずれか１項に記載のエラストマーブレンド。
【請求項１６】
ホース、弁、ポンプ、フィルター、加湿装置、改質装置、貯蔵容器（タンク）、緩衝器のシール若しくは含浸物、コーティング、膜若しくは接着化合物のための材料として、又は織物及び／若しくは不織布のコーティングのための材料として使用される、請求項１〜１５のいずれか１項に記載のエラストマーブレンド。
【請求項１７】
前記燃料電池が直接メタノール型燃料電池である、請求項１〜１６のいずれか１項に記載のエラストマーブレンド
【手続補正２】
【補正対象書類名】明細書
【補正対象項目名】発明の名称
【補正方法】変更
【補正の内容】
【発明の名称】燃料電池の挿入領域に使用するエラストマーブレンド